(57)【要約】【課題】創作性の高い和風照明を実現する。【解決手段】和紙あるいは和紙複合材から形成された光透過性のフェイス部材１と、該フェイス部材を光源の前方に固定配置する支持部材２〜４とから成る。【選択図】      図１
2004172050.tif 000002
【特許請求の範囲】
【請求項１】
照明対象空間に応じてデザインされた光透過性のフェイス部材と、
該フェイス部材を光源の前方に固定配置する支持部材と
から成ることを特徴とする照明用フェイス。
【請求項２】
フェイス部材は、和紙あるいは和紙複合材から形成されることを特徴とする請求項１記載の照明用フェイス。
【請求項３】
フェイス部材は、１枚の和紙あるいは和紙複合材を周期的に折り曲げることにより三角波状の断面形状としたものであることを特徴とする請求項１または２記載の照明用フェイス。
【請求項４】
フェイス部材は、１枚の和紙あるいは和紙複合材を周期的に湾曲させることにより正弦波状の断面形状としたものであることを特徴とする請求項１または２記載の照明用フェイス。
【請求項５】
フェイス部材は、和紙の裏面に透明ガラスをコーティングした和紙複合材であることを特徴とする請求項１〜４いずれかに記載の照明用フェイス。
【請求項６】
異なるデザインが施されたフェイス部材を組み合わせることにより一体として１つのフェイス部材を構成することを特徴とする請求項１〜５いずれかに記載の照明用フェイス。
【発明の詳細な説明】
【０００１】
【発明の属する技術分野】
本発明は、照明用フェイスに関する。
【０００２】
【従来の技術及び発明が解決しようとする課題】
店舗の照明設備は、一般に照明機器メーカーが製造・販売している既製の照明機器を組み合わせることによって構成される。例えば店舗の天井照明の場合には、埋め込み型の照明機器を天井に離散的に配置することによって、あるいは各種のデザインが施された吊り下げ型の照明機器を天井から垂下することによって、店舗内空間の雰囲気を演出することが行われている。
【０００３】
しかしながら、上記埋め込み型照明機器及び吊り下げ型照明機器の何れを用いた場合であっても、既製の照明機器を用いるために照明設備としての創作性に限界があり、真に創作的な店舗内照明を実現することができない。真に創作的な店舗内照明とは店舗の室内デザインに最も調和したものであり、このような創作的な店舗内照明は、既製の照明機器を組み合わせることによっては実現されない。例えば和風店舗の店舗内照明としては、和風の店舗内空間に適合した和風照明が好ましいが、既製の照明機器を用いて室内デザインに調和した和風照明を実現することには大きな限界があり、創作性が大きく制約される。なお、店舗の照明設備については、照明機器メーカーのカタログ等に複数が記載されている。
【０００４】
本発明は、上述する問題点に鑑みてなされたもので、創作性の高い照明（特に和風照明）を実現することを目的とする。
【０００５】
【課題を解決するための手段】
上記目的を達成するために、本発明では、第１の手段として、照明対象空間に応じてデザインされた光透過性のフェイス部材と、該フェイス部材を光源の前方に固定配置する支持部材とから成る構成を採用する。
【０００６】
また、第２の手段として、上記第１の手段において、フェイス部材は和紙あるいは和紙複合材から形成されるという構成を採用する。
【０００７】
第３の手段として、上記第１または第２の手段において、フェイス部材は、１枚の和紙あるいは和紙複合材を周期的に折り曲げることにより三角波状の断面形状としたものであるという構成を採用する。
【０００８】
第４の手段として、上記第１または第２の手段において、フェイス部材は、１枚の和紙あるいは和紙複合材を周期的に湾曲させることにより正弦波状の断面形状としたものであるという構成を採用する。
【０００９】
第５の手段として、上記第１〜第４いずれかの手段において、フェイス部材は、和紙の裏面に透明ガラスをコーティングした和紙複合材である
という構成を採用する。
【００１０】
第６の手段として、上記第１〜第５いずれかの手段において、異なるデザインが施されたフェイス部材を組み合わせることにより一体として１つのフェイス部材を構成するという構成を採用する。
【００１１】
【発明の実施の形態】
以下、図面を参照して、本発明に係わる照明用フェイスの一実施形態について説明する。
【００１２】
図１は、本実施形態の構成を示す正面図（ａ）及び底面図（ｂ）である。これら各図において、符号Ａは照明用フェイス、１はフェイス部材、２は吊棒、３は吊ワイヤ、４はヒートンである。これら各構成要素のうち、吊棒２、吊ワイヤ３及びヒートン４は、本実施形態の照明用フェイスＡにおける支持部材を構成するものである。
【００１３】
フェイス部材１は、和風にデザインされた光透過性の和紙複合材から形成されている。すなわち、このフェイス部材１は、和紙の一種である雲竜紙の片面に透明ガラスをコーティングして形成した和紙複合材を一定間隔で周期的に交互に折り曲げることにより、正面図（ａ）に示すように断面形状が三角波状であり、また底面図（ｂ）に示すように全体として方形状とした光透過性の装飾物である。ここで、フェイス部材１の表面Ｆ（正面図（ａ）における下面）は雲竜紙が位置する面であり、一方、透明ガラスのコーティング面は、雲竜紙の裏面Ｒ（正面図（ａ）における上面）に位置する。
【００１４】
このようなフェイス部材１において、折り曲げによって形成された各帯状平面部１ａ，１ａ，……には、吊棒２を刺し通すための挿通孔１ｂ，１ｂ，……が一定間隔を隔てて各々２個形成されている。吊棒２は、直管状の金属パイプの表面に黒色つや消し塗装を施したものであり、底面図（ｂ）に示すように各挿通孔１ｂ，１ｂ，……の位置に併せて２本が離間配置されている。
【００１５】
吊ワイヤ３は、下端が吊棒２に係止される一方、上端がヒートン４に係止される金属ワイヤであり、各吊棒２に対して各々２本同一長さで設けられている。ヒートン４は、店舗フロアの天井に吊ワイヤ３に併せて４つ固定されており、吊ワイヤ３の上端を係止する。
【００１６】
図２を参照して上記フェイス部材１及び吊棒２の構成をさらに詳しく説明する。この図２は、フェイス部材１及び吊棒２の端部近傍を拡大表示した正断面図である。この図に示すように、吊棒２の上側部分には吊棒２の軸線方向に所定間隔で固定溝２ａ，２ａ，……が形成されている。フェイス部材１の各帯状平面部１ａ，１ａ，……は、この固定溝２ａ，２ａ，……に挿通孔１ｂ，１ｂ，……の周縁部分が落ち込むことによって、一定姿勢を維持する状態で吊棒２に支持される。すなわち、互いに隣り合う帯状平面部１ａ，１ａ，……の開き角θは、２点差線で示すように挿通孔１ｂ，１ｂ，……を何れの固定溝２ａ，２ａ，……に落とし込むかによって可変設定される。
【００１７】
なお、図２に示すように、フェイス部材１の端部には、当該端部に位置する帯状平面部１ａが平面状態を維持し易くなるように折返部１ｃが形成されている。図２ではフェイス部材１の片端のみが描かれているが、フェイス部材１には両端部に折返部１ｃが形成されている。また、吊棒２の端部には半透明のシリコンブッシング５が挿入固定されているが、このシリコンブッシング５は、フェイス部材１が吊棒２から抜け落ちるということをより確実に防止するための安全具である。
【００１８】
以上、本実施形態に係わる照明用フェイスＡの構成について説明したが、本照明用フェイスＡは、フェイス部材１に各々挿通された２本の吊棒２の離間した２箇所に各吊ワイヤ３の下端を係止させ、また当該各吊ワイヤ３の上端をヒートン４にそれぞれ係止させることによって、正面図（ａ）に示すようにフェイス部材１を和風店舗の天井の下方かつ当該天井に対して平行な状態に固定配置される。天井には、正面図（ａ）に示すように埋め込み式の照明機器が光源としていくつか設けられており、フェイス部材１の裏面から照明光を照射する。そして、この照明光は、上述したように和風にデザインされたフェイス部材１を透過して店舗フロアに照射される。
【００１９】
すなわち、照明光は、店舗フロアに居る人間に対してフェイス部材１を代理光源として照射される。そして、この代理光源として人間と対峙するフェイス部材１の表面Ｆには和風の質感を醸し出す雲竜紙が配置されているので、また照明光がフェイス部材１を透過することによって柔らかい光として人間に降り注ぐので、本照明用フェイスＡは、和風店舗の和風にデザインされた店舗内空間に調和したものとなり、したがって既製の照明機器を用いた照明とは異なり、創作性の高い和風照明を実現することができる。
【００２０】
また、本照明用フェイスＡでは、各帯状平面部１ａ，１ａ，……に形成された挿通孔１ｂ，１ｂ，……１ａ，……を何れの固定溝２ａ，２ａ，……に落とし込むかによって互いに隣り合う帯状平面部１ａ，１ａ，……の開き角θが調節されるので、照明としての風合いを容易に変更することが可能である。
【００２１】
また、フェイス部材１は吊棒２に刺し通されることによって支持されるので、交換が容易である。したがって、例えば季節等に応じてフェイス部材１を異なるデザインのものに変更することが容易である。
【００２２】
また、上述した本照明用フェイスＡは基本ユニットである。図３に示すように、本照明用フェイスＡを複数組み合わせることにより、より創作性の高い照明を実現することができる。図３の配置例では、４つの照明用フェイスＡを碁盤の目のように配置したものであり、上下左右方向に互いに隣り合う角照明用フェイスＡのフェイス部材１の折り目の向きが互いに異なる、つまり直交するように向き設定されている。
【００２３】
さらに、図４は、上記基本ユニットの吊棒２に代えて、垂直面内において所定の曲率で湾曲させた湾曲吊棒２Ａを採用した照明用フェイスＡ’の正面図である。このような照明用フェイスＡ’によれば、湾曲吊棒２Ａにそってフェイス部材１が全体として湾曲するので、上述した照明用フェイスＡとは異なった質感を実現することができる。
【００２４】
なお、本発明は上記実施形態に限定されるものではなく、例えば以下のような変形が考えられる。
【００２５】
（１）図５は、上記実施形態のフェイス部材１に代えて、変形例の１つであるフェイス部材１Ｂを採用した照明用フェイスＢの正面図である。このフェイス部材１Ｂは、上記和紙複合材を周期的に湾曲させることにより正弦波状の断面形状としたものであり、上記実施形態のフェイス部材１とは異なり折り目がない。したがって、本照明用フェイスＢは、上記実施形態の照明用フェイスＡ，Ａ’とはまた異なる風合いを有する。なお、このようなフェイス部材１Ｂに対しても、上述した湾曲吊棒２Ａを適用することにより、全体として湾曲させるようにしても良い。
【００２６】
（２）また、上記上記フェイス部材１，フェイス部材１Ｂは、１枚の和紙複合材を屈曲あるいは湾曲したものであるが、本発明はこれに限定されるものではなく、複数の和紙複合材を組み合わせることにより一体として１つのフェイス部材を構成するようにしても良い。図６は和紙複合材の組合例を複数示す正面図であり、上下方向に交互に湾曲させた短冊状の和紙複合材の両端部を吊棒２に挿通することにより一体としてフェイス部材１Ｃを形成している。
【００２７】
（３）また、上述した吊棒２及び湾曲吊棒２Ａは金属パイプの表面に黒色つや消し塗装を施したものであるが、これを木材に代えても良い。また、木材の中でも特に竹材を採用することにより、和風の質感を強調することが可能となる。
【００２８】
（４）さらに、上述したフェイス部材１及びフェイス部材１Ｂは雲竜紙の片面（裏面Ｒ）に透明ガラスをコーティングした和紙複合材である。このような透明ガラスのコーティングは、フェイス部材１及びフェイス部材１Ｂの水洗いを可能とするための処置である。しかしながら、水洗いを考慮する必要がない使用態様も考えられるので、フェイス部材１及びフェイス部材１Ｂを比較的腰の強い和紙のみで構成するようにしても良い。この場合、和紙としては雲竜紙に限定されるものではなく、他の和紙（例えば大礼紙、奉書紙等）を用いても良い。また、和紙複合材として、和紙の繊維成分に他の繊維（例えばポリエステルやレーヨン等）あるいは各種素材から成る粒子を混合したものであっても良い。さらに、建築基準法第３５条の２、政令第１２８条の４あるいは政令第１２９条の４等の関連法案に適合したものであっても良い。
【００２９】
（５）最後に、以上では和風の質感を持つ照明用フェイスについて説明してきたが、本発明は、光源の前方にフェイス部材を固定配置することにより照明の質感を室内デザインにマッチさせることを趣旨とするものであり、和風の質感に限定されるものではない。したがって、室内の人間に対峙するフェイス部材を和風調ではなく、洋風調あるいは中華調等々、他の文化イメージに適応したものとすることが考えられる。
【００３０】
【発明の効果】
以上説明したように、本発明によれば、照明対象空間に応じてデザインされた光透過性のフェイス部材と、該フェイス部材を光源の前方に固定配置する支持部材とから成るので、既製の照明機器を用いた照明とは異なり、創作性の高い照明を実現することができる。また特に、フェイス部材を和紙あるいは和紙複合材から形成することにより、和風の照明対象空間に調和した創作性の高い和風照明を実現することができる。
【図面の簡単な説明】
【図１】本発明の一実施形態の構成を示す正面図（ａ）及び底面図（ｂ）である。
【図２】本発明の一実施形態におけるフェイス部材１及び吊棒２の端部近傍を拡大表示した正断面図である。
【図３】本発明の一実施形態に係わる照明用フェイスＡの組み合わせ例を示す底面図である。
【図４】本発明の一実施形態において湾曲吊棒２Ａを採用した照明用フェイスＡ’の正面図である。
【図５】本発明の一実施形態の変形例の１つとして断面が正弦波状のフェイス部材１Ｂを採用した照明用フェイスＢの正面図である。
【図６】本発明の一実施形態におけるフェイス部材の変形例を示す正面図である。
【符号の説明】
Ａ……照明用フェイス
１，１Ｂ……フェイス部材
２……吊棒
２Ａ……湾曲吊棒
３……吊ワイヤ
４……ヒートン
５……シリコンブッシング
【図１】
2004172050.tif 000003
【図２】
2004172050.tif 000004
【図３】
2004172050.tif 000005
【図４】
2004172050.tif 000006
【図５】
2004172050.tif 000007
【図６】
2004172050.tif 000008